(57)【要約】【課題】指定した受取時刻に客が店に商品を受け取りに行く場合、注文した商品を客が確実に受け取ることができる注文システム及び店舗端末を提供する。【解決手段】注文システムは、商品情報及び商品の受取時刻情報を受け付ける操作部と、商品情報及び受取時刻情報を送信する送信部と、を有する電子端末と、商品情報及び受取時刻情報を受信する受信部と、受信部に受信された商品情報のうち、受け取り可能となった商品の商品情報が登録される登録部と、登録部による登録が完了したか否かを判定し、登録が完了した商品について、受取時刻情報が示す受取時刻までの残り時間が所定時間となってから、又は、受信部の受信から一定時間が経過してから、受信部に受信された全ての商品情報が登録部に登録されるまで、商品情報と、受取時刻情報と、商品の取引を特定する情報とのうち、少なくとも一つを報知し続ける報知部と、を有する店舗端末とを備える。【選択図】図１
2015164016.tif 000002
【特許請求の範囲】
【請求項１】
商品情報及び前記商品の受取時刻情報を受け付ける操作部と、
前記商品情報及び前記受取時刻情報を送信する送信部と、
を有する電子端末と、
前記商品情報及び前記受取時刻情報を受信する受信部と、
前記受信部に受信された前記商品情報のうち、受け取り可能となった商品の前記商品情報が登録される登録部と、
前記登録部による登録が完了したか否かを判定し、前記登録が完了した商品について、前記受取時刻情報が示す受取時刻までの残り時間が所定時間となってから、又は、前記受信部の受信から一定時間が経過してから、前記受信部に受信された全ての前記商品情報が前記登録部に登録されるまで、前記商品情報と、前記受取時刻情報と、前記商品の取引を特定する情報とのうち、少なくとも一つを報知し続ける報知部と、
を有する店舗端末と、
を備えることを特徴とする注文システム。
【請求項２】
前記登録部は、前記受取時刻よりも後に追加購入された商品の商品情報を追加登録することを特徴とする請求項１に記載の注文システム。
【請求項３】
前記報知部は、前記受取時刻までの残り時間に応じて報知方法を異ならせることを特徴とする請求項１又は請求項２に記載の注文システム。
【請求項４】
前記報知部は、前記受取時刻が直近となった客の商品について、前記商品情報と、前記受取時刻情報と、前記商品の取引を特定する情報とのうち少なくとも一つを、優先して報知することを特徴とする請求項1から請求項３のいずれか一項に記載の注文システム。
【請求項５】
商品情報及び前記商品の受取時刻情報を受信する受信部と、
前記受信部に受信された前記商品情報のうち、受け取り可能となった商品の前記商品情報が登録される登録部と、
前記登録部による登録が完了したか否かを判定し、前記登録が完了した商品について、前記受取時刻情報が示す受取時刻までの残り時間が所定時間となってから、又は、前記受信部の受信から一定時間が経過してから、前記受信部に受信された全ての前記商品情報が前記登録部に登録されるまで、前記商品情報と、前記受取時刻情報と、前記商品の取引を特定する情報とのうち、少なくとも一つを報知し続ける報知部と、
を備えることを特徴とする店舗端末。
【発明の詳細な説明】
【技術分野】
【０００１】
本発明は、注文システム及び店舗端末に関する。
【背景技術】
【０００２】
ネットスーパーでは、客は、携帯端末やパーソナルコンピュータを自ら操作することにより、店に行かなくても通信回線を介して商品を注文することができる。しかしながら、客は、配送される商品を受け取るためには、指定した受取時刻（配送時間帯）に、指定した配送場所（例えば、自宅）に居なければならない。そこで、客が店外から注文した商品を、客が配送場所として指定した店で客にスムーズに受取らせることを目的とした注文システムが、特許文献１及び２に開示されている。
【先行技術文献】
【特許文献】
【０００３】
【特許文献１】特開２００３−１６５３１号公報
【特許文献２】特許第４９５９４０５号公報
【発明の概要】
【発明が解決しようとする課題】
【０００４】
しかしながら、注文された商品が受取時刻までに店でピッキングされ、ピッキングされた商品の登録が完了していなければ、客は、指定した受取時刻に店に行ったとしても、注文した商品を受け取ることができない、という問題がある。
【０００５】
本発明は、前記の点に鑑みてなされたものであり、指定した受取時刻に客が店に商品を受け取りに行く場合、注文した商品を客が確実に受け取ることができる注文システム及び店舗端末を提供することを目的とする。
【課題を解決するための手段】
【０００６】
本発明の一態様は、商品情報及び前記商品の受取時刻情報を受け付ける操作部と、前記商品情報及び前記受取時刻情報を送信する送信部と、を有する電子端末と、前記商品情報及び前記受取時刻情報を受信する受信部と、前記受信部に受信された前記商品情報のうち、受け取り可能となった商品の前記商品情報が登録される登録部と、前記登録部による登録が完了したか否かを判定し、前記登録が完了した商品について、前記受取時刻情報が示す受取時刻までの残り時間が所定時間となってから、又は、前記受信部の受信から一定時間が経過してから、前記受信部に受信された全ての前記商品情報が前記登録部に登録されるまで、前記商品情報と、前記受取時刻情報と、前記商品の取引を特定する情報とのうち、少なくとも一つを報知し続ける報知部と、を有する店舗端末と、を備えることを特徴とする注文システムである。
この構成により、報知部は、受取時刻情報が示す受取時刻までの残り時間が所定時間となってから、又は、受信部の受信から一定時間が経過してから、受信部に受信された全ての商品情報が登録部に登録されるまで、商品情報と、受取時刻情報と、商品の取引を特定する情報とのうち、少なくとも一つを報知し続ける。
これにより、注文システムは、指定した受取時刻に客が店に商品を受け取りに行く場合、注文した商品を客が確実に受け取ることができる。また、客は、店に行かなくても何時でも商品を注文し、指定した受取時刻に店で商品を受け取ることができる。また、注文された商品をピッキングすべき旨が、客から指定された受取時刻よりも前から、店舗端末（ＰＯＳ（Ｐｏｉｎｔ  Ｏｆ  Ｓａｌｅｓ）端末、ハンディターミナルなど）の報知部に表示され、注文された商品のピッキングが完了するまで報知が続くので、店は、受取時刻までに商品を確実に用意することができる。
【０００７】
本発明の一態様は、前記登録部が、前記受取時刻よりも後に追加購入された商品の商品情報を追加登録することを特徴とする注文システムである。
これにより、注文システムは、店外で客が電子端末を操作して注文した商品の代金に、店で客が追加購入する商品の代金を合算して、合算した代金を精算させることができる。
【０００８】
本発明の一態様は、前記報知部が、前記受取時刻までの残り時間に応じて報知方法を異ならせることを特徴とする注文システムである。
この構成により、報知部は、受取時刻に近づくにつれて、報知の度合いを大きくする。これにより、注文システムは、客が注文した商品を、受取時刻までに店員に確実に準備させることができる。
【０００９】
本発明の一態様は、前記報知部が、前記受取時刻が直近となった客の商品について、前記商品情報と、前記受取時刻情報と、前記商品の取引を特定する情報とのうち少なくとも一つを、優先して報知することを特徴とする注文システムである。
これにより、注文システムは、受取時刻が直近となった客の商品について、商品情報と、受取時刻情報と、商品の取引を特定する情報とのうち少なくとも一つを、他の客の情報よりも優先して報知することができる。
【００１０】
本発明の一態様は、商品情報及び前記商品の受取時刻情報を受信する受信部と、前記受信部に受信された前記商品情報のうち、受け取り可能となった商品の前記商品情報が登録される登録部と、前記登録部による登録が完了したか否かを判定し、前記登録が完了した商品について、前記受取時刻情報が示す受取時刻までの残り時間が所定時間となってから、又は、前記受信部の受信から一定時間が経過してから、前記受信部に受信された全ての前記商品情報が前記登録部に登録されるまで、前記商品情報と、前記受取時刻情報と、前記商品の取引を特定する情報とのうち、少なくとも一つを報知し続ける報知部と、を備えることを特徴とする店舗端末である。
この構成により、報知部は、受取時刻情報が示す受取時刻までの残り時間が所定時間となってから、又は、受信部の受信から一定時間が経過してから、受信部に受信された全ての商品情報が登録部に登録されるまで、商品情報と、受取時刻情報と、商品の取引を特定する情報とのうち、少なくとも一つを報知し続ける。
これにより、店舗端末は、指定した受取時刻に客が店に商品を受け取りに行く場合、注文した商品を客が確実に受け取ることができる。
【発明の効果】
【００１１】
本発明によれば、報知部は、受取時刻情報が示す受取時刻までの残り時間が所定時間となってから、受信部に受信された全ての商品情報が登録部に登録されるまで、商品情報及び受取時刻情報を報知し続ける。これにより、注文システム及び店舗端末は、指定した受取時刻に客が店に商品を受け取りに行く場合、注文した商品を客が確実に受け取ることができる。
【図面の簡単な説明】
【００１２】
【図１】本発明の一実施形態における、注文システムの構成例を示すブロック図である。
【図２】本発明の一実施形態における、顧客ファイルの例を表により示す図である。
【図３】本発明の一実施形態における、商品ファイルの例を表により示す図である。
【図４】本発明の一実施形態における、注文ファイルの例を表により示す図である。
【図５】本発明の一実施形態における、注文シートの例を示す図である。
【図６】本発明の一実施形態における、残り時間が１時間である場合の報知の例を示す図である。
【図７】本発明の一実施形態における、残り時間が３０分である場合の報知の例を示す図である。
【図８】本発明の一実施形態における、残り時間が０分である場合の報知の例を示す図である。
【図９】本発明の一実施形態における、注文システムの動作手順の例を示すフローチャートである。
【発明を実施するための形態】
【００１３】
本発明の一実施形態について図面を参照して詳細に説明する。図１には、注文システムの構成例がブロック図により示されている。注文システムは、電子端末１０と、店舗端末６０とを備える。注文システムは、管理装置２０を更に備えてもよい。注文システムは、顧客ファイル記憶部３０と、商品ファイル記憶部４０と、注文ファイル記憶部５０とを更に備えてもよい。電子端末１０と、管理装置２０と、店舗端末６０とは、通信回線１００を介して互いに通信可能である。
【００１４】
電子端末１０は、例えば、パーソナルコンピュータ又は携帯端末である。注文システムは、複数の電子端末１０を備えてもよい。すなわち、注文システムは、電子端末１０‐１〜１０‐Ｍ（Ｍは、１以上の整数）を備えてもよい。以下では、電子端末１０‐１〜１０‐Ｍに共通する事項については、符号Ｍを省略して、「電子端末１０」と表記する。
【００１５】
電子端末１０は、電子端末操作部１１と、電子端末通信部１２とを有する。電子端末操作部１１は、客による操作入力を受け付け、操作入力に応じた信号を電子端末通信部１２に出力する。電子端末操作部１１は、例えば、タッチパネル、マウス又はキーボードである。
【００１６】
電子端末通信部１２は、操作入力に応じた信号に基づいて、各種情報を生成する。この各種情報は、例えば、客を識別するための識別情報、注文する商品を識別するための識別情報、注文する商品の数量を示す数量情報、商品を店で受け取る予定時刻としての受取時刻を示す情報、及び、商品の配送先として指定する店舗を示す情報である。電子端末通信部１２は、各種情報を管理装置２０に送信する。電子端末通信部１２は、各種情報を管理装置２０に送信する代わりに、各種情報を店舗端末６０に送信してもよい。電子端末通信部１２は、各種情報を管理装置２０に送信した場合、管理装置２０との間で代金精算（決済）処理を実行してもよい。
【００１７】
管理装置２０は、管理装置通信部２１と、管理装置制御部２２とを有する。管理装置通信部２１は、通信回線１００を介して、各種情報を電子端末１０の電子端末通信部１２から受信する。管理装置通信部２１は、受信した各種情報を、管理装置制御部２２に転送する。管理装置通信部２１は、管理装置制御部２２から転送された注文情報を、注文情報に含まれる店舗コードが示す店の店舗端末６０に送信する。
【００１８】
管理装置制御部２２は、管理装置通信部２１に受信された各種情報に基づいて、顧客ファイル記憶部３０に記憶された顧客ファイル（図２を用いて後述する）に、顧客情報を登録する。例えば、管理装置制御部２２は、受信された各種情報に含まれる顧客コードを、顧客情報として顧客ファイルに登録する。また、管理装置制御部２２は、顧客ファイル記憶部３０に記憶された顧客ファイルから、顧客情報を読み出す。
【００１９】
管理装置制御部２２は、管理装置通信部２１に受信された各種情報に基づいて、商品ファイル記憶部４０に記憶された商品ファイル（図３を用いて後述する）に、商品情報を登録する。例えば、管理装置制御部２２は、商品を識別するための商品コードを、商品情報として商品ファイルに登録する。管理装置制御部２２は、商品ファイル記憶部４０に記憶された商品ファイルから、商品情報を読み出す。
【００２０】
管理装置制御部２２は、管理装置通信部２１に受信された各種情報に基づいて、注文ファイル記憶部５０に記憶された注文ファイル（図４を用いて後述する）に、注文情報を登録する。例えば、管理装置制御部２２は、商品を識別するための商品コードを、注文情報として注文ファイルに登録する。管理装置制御部２２は、注文ファイル記憶部５０に記憶された注文ファイルから、注文情報を読み出す。管理装置制御部２２は、読み出した注文情報を、管理装置通信部２１に出力する。
【００２１】
図２には、顧客ファイルの例が表により示されている。顧客ファイルの項目には、顧客コードと、氏名と、第１連絡先と、第２連絡先と、購入履歴とがある。顧客コードは、商品を注文した客を識別するための識別情報（識別コード）である。氏名は、顧客コードにより識別される客の氏名である。第１連絡先は、顧客コードにより識別される客の連絡先である。客の連絡先は、例えば、住所である。第２連絡先は、顧客コードにより識別される客の他の連絡先である。図２に示す顧客ファイルでは、顧客コード「１２３４」と、氏名「Ａ」と、第１連絡先「Ｂ」と、第２連絡先「Ｃ」と、購入履歴「Ｄ」とが対応付けられている。
【００２２】
図３には、商品ファイルの例が表により示されている。商品ファイルの項目には、商品コードと、品名と、単価とがある。商品コードは、商品を識別するための識別情報（識別コード）である。品名は、商品コードにより識別される商品の名称である。単価は、商品コードにより識別される商品の単価である。図３に示す商品ファイルでは、商品コード「Ｅ」と、品名「Ｆ」と、単価「Ｇ」とが対応付けられている。また、商品コード「Ｈ」と、品名「Ｋ」と、単価「Ｌ」とが対応付けられている。
【００２３】
図４には、注文ファイルの例が表により示されている。注文ファイルには、注文情報が登録される。図４では、注文情報の項目には、注文番号（受付番号）と、顧客コードと、商品コードと、数量と、完了フラグと、店舗コードと、注文時刻と、受取時刻とがある。注文番号は、注文情報を識別するための番号である。顧客コードは、商品を注文した客を識別するための情報（識別コード）である。商品コードは、注文された商品を識別するための情報（識別コード）である。数量は、注文された商品の数量である。完了フラグは、注文された商品の準備（ピッキング）が完了したか否かを示すフラグである。店舗コードは、注文した商品を受け取るための配送先として客が指定した店舗を識別するための識別情報（識別コード）である。注文時刻は、客が商品を注文した時刻である。受取時刻は、注文した商品を受け取る時刻として客が指定した時刻である。受取時刻は、注文時刻から所定の準備時間（ピッキング時間）以上が経過した時刻にしか指定できない等の制限が設けられてもよい。
【００２４】
図１に戻り、注文システムの構成例の説明を続ける。店舗端末６０は、店に備えられる。店舗端末６０は、店に設置されたＰＯＳ端末でもよいし、携帯可能なハンディターミナルでもよい。注文システムは、複数の店舗端末６０を備えてもよい。すなわち、注文システムは、店舗端末６０‐１〜６０‐Ｎ（Ｎは、１以上の整数）を備えてもよい。以下では、店舗端末６０‐１〜６０‐Ｎに共通する事項については、符号Ｎを省略して、「店舗端末６０」と表記する。
【００２５】
店舗端末６０は、店舗端末通信部６１と、店舗端末制御部６２と、読取部６３と、登録部６４と、報知部６５と、印刷部６６と、店舗端末操作部６７とを備える。店舗端末通信部６１は、注文情報を、通信回線１００を介して管理装置２０から受信する。ここで、店舗端末通信部６１は、管理装置２０を介さずに、注文情報を電子端末１０から直接受信してもよい。以下では、一例として、店舗端末通信部６１は、管理装置２０を介して注文情報を受信するものとして説明を続ける。
【００２６】
店舗端末操作部６７は、店員による操作入力を受け付け、操作入力信号を店舗端末制御部６２に出力する。店舗端末操作部６７は、報知部６５と一体でもよい。店舗端末操作部６７は、例えば、タッチパネル又はキーボードである。例えば、店員は、店舗端末操作部６７としてのタッチパネルに表示された操作キーを介して、操作入力をする。
【００２７】
読取部６３（スキャナ部）は、店員により操作される。読取部６３は、ピッキングされた商品に付された商品情報（バーコード等）を、商品毎に読み取る。読取部６３は、読み取った商品情報を、店舗端末制御部６２による制御により、登録部６４に登録する。
登録部６４は、読取部６３により読み取られた商品情報を、ピッキングされた商品を示す情報として登録する。
【００２８】
店舗端末制御部６２には、注文情報が店舗端末通信部６１から入力される。店舗端末制御部６２は、注文情報に基づいて、店舗端末６０の各部を制御する。店舗端末制御部６２には、操作入力信号が店舗端末操作部６７から入力される。店舗端末制御部６２は、操作入力信号に基づいて、店舗端末６０の各部を制御する。
【００２９】
報知部６５は、店舗端末制御部６２による制御に基づいて、受取時刻よりも所定時間前（例えば、１時間前、３０分前）に、報知部６５（表示部）の画面に、顧客番号及び受取時刻などを表示する。
印刷部６６は、受取時刻までにピッキングすべき商品を示す情報、すなわち、注文情報を、店舗端末制御部６２による制御に基づいて、注文シートに印刷する。印刷部６６は、注文情報が印字された注文シートを発行する。
【００３０】
図５には、注文シートの例を示す図が示されている。注文シート２００は、店舗端末制御部６２による制御に基づいて、印刷部６６から発行される。注文シート２００には、受取時刻が属する日を示す日付情報と、注文情報とが印字される。注文情報は、例えば、指定された受取時刻（受取予定時刻）、注文番号、及び、商品情報（商品一覧）である。ここで、商品情報は、例えば、商品コード、品名及び数量である。
【００３１】
図５では、注文シート２００には、指定された受取時刻「１２：００」と、注文番号「０００１」と、受取時刻が属する日を示す日付「＊年＊月＊日」と、商品コード「Ｅ」、品名「Ｆ」及び数量「１」と、商品コード「Ｈ」、品名「Ｋ」及び数量「１」と、が印字されている。店員は、注文シート２００に印字された商品情報が示す全ての商品、すなわち、商品「Ｅ」及び「Ｈ」を、受取時刻「１２：００」までにピッキングする。
【００３２】
図６には、残り時間が１時間である場合の報知の例が示されている。店員は、店舗端末６０の店舗端末操作部６７を操作することにより、注文シート２００に記載された注文番号を、店舗端末制御部６２に操作入力する。店舗端末制御部６２は、店舗端末通信部６１が受信した注文情報のうち、操作入力された注文番号に対応付けられた注文情報を、報知部６５に表示させる。
【００３３】
例えば、店舗端末制御部６２は、操作入力された注文番号に対応付けられた受取時刻を、報知部６５に定められた受取時刻表示領域６９に表示させる。店舗端末制御部６２は、受取時刻が属する日を示す日付情報を、報知部６５に表示させる。また、例えば、店舗端末制御部６２は、操作入力された注文番号を、報知部６５に表示させる。また、例えば、店舗端末制御部６２は、操作入力された注文番号に対応付けられた顧客コードを、報知部６５に表示させる。
【００３４】
また、例えば、店舗端末制御部６２は、操作入力された注文番号に対応付けられた商品情報を、報知部６５に定められた受取時刻表示領域６９に表示させる。ここで、商品情報は、例えば、商品コードと、品名と、数量と、完了フラグに基づく文字列「完了」又は「未完了」とである。
【００３５】
また、店舗端末制御部６２は、注文番号に対応付けられた受取時刻（予定時刻）までの残り時間を算出し、算出した残り時間を、報知部６５に定められた残り時間表示領域７０に表示させる。残り時間表示領域７０に表示されている「残り時間」は、更新される。
【００３６】
また、店舗端末制御部６２は、追加購入操作キー６８を、報知部６５に表示させる。追加購入操作キー６８は、受取時刻よりも後に店内で追加購入された商品の商品情報を、注文情報に含めて登録部６４に追加登録するための操作キーである。
【００３７】
店員は、注文シート２００に印字された注文情報に基づいて、注文された商品をピッキングする。店員は、ピッキングした商品に付された商品情報（バーコード等）を、商品毎に読取部６３に読み取らせる。読取部６３に読み取られた商品情報は、商品毎に登録部６４に登録される。店舗端末制御部６２は、登録部６４に登録した商品を示す商品情報に含まれる完了フラグを、値１（完了）に更新する。完了フラグが値１（完了）となった商品情報は、報知部６５による商品名などの表示態様が更新される（消しこみ作業）。図６では、完了フラグが値１（完了）となった商品「Ｅ」について、文字列「完了」が表示されている。一方、完了フラグが値０（未完了）である商品「Ｈ」について、文字列「未完了」が表示されている。
【００３８】
図７には、残り時間が３０分である場合の報知の例が示されている。店舗端末制御部６２は、受取時刻までの残り時間が少なくなるほど、その残り時間を報知する度合い（警告の度合い）を強めてもよい。店舗端末制御部６２は、受取時刻までの残り時間が所定時間以下である場合、報知部６５の画面を点滅させてもよい。店舗端末制御部６２は、受取時刻までの残り時間が所定時間以下である場合、報知部６５の画面の色を、黄色から赤色に更新してもよい。店舗端末制御部６２は、受取時刻までの残り時間が所定時間以下である場合、受取時刻表示領域６９を、画面上でポップアップ表示（例えば、影付き表示）させてもよい。
【００３９】
図８には、残り時間が０分である場合の報知の例が示されている。店員は、注文シート２００に印字された商品情報が示す全ての商品、すなわち、商品「Ｅ」及び「Ｈ」をピッキングした場合、商品のピッキングを注文番号毎に終了する。店員が商品のピッキングを注文番号毎に終了した場合、その注文番号については、店舗端末通信部６１に受信された全ての商品情報が、登録部６４に登録されていることになる。この時点で、注文された商品の引き渡し準備が完了することになる。
【００４０】
客は、配送先に指定した店まで、指定した受取時刻に、商品を受け取りに行く。注文時に代金精算（決済）が済んでいる場合、客は店で商品を受け取るだけで済む。なお、来店した客は、店内で新たに商品を選択して購入してもよい。この場合、店員は、追加購入操作キー６８を押下操作する。店舗端末操作部６７は、追加購入操作キー６８が押下操作されたことを示す信号を、店舗端末制御部６２に出力する。店舗端末制御部６２は、追加購入操作キー６８が押下操作されたことを示す信号が入力された場合、来店した客が店内で新たに選択した商品を示す商品情報（バーコード等）を、読取部６３を介して登録部６４に登録する際、表示されている注文番号又は顧客コードを検索キーとして、店舗端末通信部６１が受信した注文情報に商品情報を対応付けてもよい。これにより、店舗端末制御部６２は、店外で客が電子端末１０を操作して注文した商品の代金に、店で客が追加購入する商品の代金を合算して、合算した代金を精算させることができる。
【００４１】
次に、注文システムの動作手順の例を説明する。
図９は、注文システムの動作手順の例を示すフローチャートである。客は、電子端末操作部１１を操作することにより、注文する商品を示す商品情報と、受取時刻として指定する受取時刻を示す受取時刻情報と、配送場所として指定する店舗を示す店舗コードとを、電子端末通信部１２に入力する。
【００４２】
電子端末通信部１２は、商品情報、受取時刻情報及び店舗コードを、通信回線１００を介して管理装置２０に送信する。ここで、電子端末通信部１２は、商品情報及び受取時刻情報を、店舗コードが示す店舗に備えられた店舗端末６０に送信してもよい。
【００４３】
管理装置制御部２２は、商品情報、受取時刻情報及び店舗コードを管理装置通信部２１が受信した場合、商品情報（例えば、商品コード）、受取時刻情報及び店舗コードを、注文番号に対応付けて注文ファイルを生成し、生成した注文ファイル（例えば、図４を参照）を注文ファイル記憶部５０に記憶させる。管理装置通信部２１は、商品情報及び受取時刻情報を、店舗コードが示す店舗に備えられた店舗端末６０に転送する。
【００４４】
（ステップＳ１）店舗コードが示す店舗に備えられた店舗端末６０の店舗端末通信部６１は、注文情報を受信する。店舗端末通信部６１は、注文情報として、例えば、商品情報及び受取時刻情報を受信する。店舗端末通信部６１は、注文情報を、店舗端末制御部６２に転送する。
【００４５】
（ステップＳ２）店舗端末制御部６２は、受取時刻情報が示す受取時刻までの残り時間を算出する。店舗端末制御部６２は、受取時刻までの残り時間が所定時間以下であるか否かを判定する。受取時刻までの残り時間が所定時間以下である場合（ステップＳ２：ＹＥＳ）、店舗端末制御部６２は、ステップＳ３に処理を進める。一方、受取時刻までの残り時間が所定時間よりも長い場合（ステップＳ２：ＮＯ）、店舗端末制御部６２は、ステップＳ２を繰り返す。
【００４６】
（ステップＳ３）読取部６３は、ピッキングされた商品に付された商品情報を、店員に操作されることにより光学的にスキャンして読み取る。読取部６３は、ピッキングされた商品から読み取った商品情報を、登録部６４に登録する。店舗端末制御部６２は、店舗端末通信部６１に受信された全ての商品情報が登録部６４に登録されているか否か、すなわち、注文された全ての商品がピッキングされたか否かを、注文番号毎に判定する。
【００４７】
注文された全ての商品がピッキングされた場合（ステップＳ３：ＹＥＳ）、店舗端末制御部６２は、処理を終了する。一方、注文された商品のうちピッキングされていない商品がある場合（ステップＳ３：ＮＯ）、店舗端末制御部６２は、ステップＳ４に処理を進める。
【００４８】
（ステップＳ４）店舗端末制御部６２は、受取時刻までの残り時間に応じて報知方法を異ならせる。例えば、店舗端末制御部６２は、受取時刻までの残り時間に応じて、警告度を選択する。
（ステップＳ５）店舗端末制御部６２は、選択した警告度で報知する。例えば、店舗端末制御部６２は、報知部６５に表示する画像を、選択した警告度に応じて異ならせる。
例えば、店舗端末制御部６２は、選択した警告度が所定の度合いよりも高い場合、受取時刻表示領域６９をポップアップ表示させてもよい。
【００４９】
以上のように、本実施形態に係る注文システムは、商品情報及び商品の受取時刻情報を受け付ける電子端末操作部１１（操作部）と、商品情報及び受取時刻情報を送信する電子端末通信部１２（送信部）と、を有する電子端末１０と、商品情報及び受取時刻情報を受信する店舗端末通信部６１（受信部）と、店舗端末通信部６１（受信部）に受信された商品情報のうち、受け取り可能となった商品の商品情報が登録される登録部６４と、登録部６４による登録が完了したか否かを判定し、登録が完了した商品について、受取時刻情報が示す受取時刻までの残り時間が所定時間となってから、又は、店舗端末通信部６１（受信部）の受信から一定時間が経過してから、店舗端末通信部６１（受信部）に受信された全ての商品情報が登録部６４に登録されるまで、商品情報と、受取時刻情報と、商品の取引を特定する情報とのうち、少なくとも一つを報知し続ける報知部６５と、を有する店舗端末６０と、を備える。
この構成により、報知部６５は、登録部６４による登録が完了したか否かを判定し、登録が完了した商品について、受取時刻情報が示す受取時刻までの残り時間が所定時間となってから、又は、店舗端末通信部６１（受信部）の受信から一定時間が経過してから、店舗端末通信部６１（受信部）に受信された全ての商品情報が登録部６４に登録されるまで、商品情報と、受取時刻情報と、商品の取引を特定する情報とのうち、少なくとも一つを報知し続ける。なお、報知部６５が報知し続けるというのは、報知部６５が連続的に報知することに限らない。例えば、報知部６５は、所定の時間間隔で（例えば、３０秒おきに）、継続して報知してもよい。
これにより、本実施形態に係る注文システムは、指定した受取時刻に客が店に商品を受け取りに行く場合、注文した商品を客が確実に受け取ることができる。
【００５０】
登録部６４は、受取時刻よりも後に追加購入された商品の商品情報を追加登録してもよい。
これにより、本実施形態に係る注文システムは、客が店外で電子端末１０を操作して注文した商品の代金に、来店した客が店で追加購入する商品の代金を合算して、合算した代金を店で精算させることができる。
【００５１】
報知部６５は、受取時刻までの残り時間に応じて報知方法を異ならせてもよい（例えば、図６〜図８を参照）。
この構成により、報知部６５は、受取時刻に近づくにつれて、報知の度合いを大きくする。これにより、本実施形態に係る注文システムは、客が注文した商品を、受取時刻までに店員に確実に準備させることができる。
【００５２】
報知部６５は、受取時刻が直近となった客の商品について、商品情報と、受取時刻情報と、商品の取引を特定する情報とのうち少なくとも一つを、優先して報知してもよい。
これにより、本実施形態に係る注文システムは、受取時刻が直近となった客の商品について、商品情報と、受取時刻情報と、商品の取引を特定する情報とのうち少なくとも一つを、他の客の情報よりも優先して報知することができる。
【００５３】
店舗端末６０は、商品情報及び商品の受取時刻情報を受信する店舗端末通信部６１（受信部）と、店舗端末通信部６１（受信部）に受信された商品情報のうち、受け取り可能となった商品の商品情報が登録される登録部６４と、登録部６４による登録が完了したか否かを判定し、登録が完了した商品について、受取時刻情報が示す受取時刻までの残り時間が所定時間となってから、又は、店舗端末通信部６１（受信部）の受信から一定時間が経過してから、店舗端末通信部６１（受信部）に受信された全ての商品情報が登録部６４に登録されるまで、商品情報と、受取時刻情報と、商品の取引を特定する情報とのうち、少なくとも一つを報知し続ける報知部６５と、を備える。
これにより、店舗端末６０は、指定した受取時刻に客が店に商品を受け取りに行く場合、注文した商品を客が確実に受け取ることができる。
【００５４】
以上、この発明の実施形態について図面を参照して詳述してきたが、具体的な構成はこの実施形態に限られるものではなく、この発明の要旨を逸脱しない範囲の設計等も含まれる。
【００５５】
なお、上記に説明した注文システム及び店舗端末を実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【００５６】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００５７】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【００５８】
１０…電子端末、１１…電子端末操作部、１２…電子端末通信部、２０…管理装置、２１…管理装置通信部、２２…管理装置制御部、３０…顧客ファイル記憶部、４０…商品ファイル記憶部、５０…注文ファイル記憶部、６０…店舗端末、６１…店舗端末通信部、６２…店舗端末制御部、６３…読取部、６４…登録部、６５…報知部、６６…印刷部、６７…店舗端末操作部、６８…追加購入操作キー、６９…受取時刻表示領域、７０…残り時間表示領域、１００…通信回線、２００…注文シート
【図１】
2015164016.tif 000003
【図２】
2015164016.tif 000004
【図３】
2015164016.tif 000005
【図４】
2015164016.tif 000006
【図５】
2015164016.tif 000007
【図６】
2015164016.tif 000008
【図７】
2015164016.tif 000009
【図８】
2015164016.tif 000010
【図９】
2015164016.tif 000011